(57)【要約】      （修正有）【課題】横抱っこ紐で抱っこされた幼児を全体に亘って覆うことができる横抱っこ用カバーを提供する。【解決手段】横抱っこ用カバーＡは、通気性を有し、袋状に形成して、横抱っこ紐で抱っこされた幼児を全体に亘って覆うカバー本体１と、このカバー本体１の開口縁部１ａに対して直交するように複数の折り目１１ａを設けられ、該複数の折り目１１ａは階段状に形成されると共に、カバー本体１の開口縁部１ａは折り返されて、調整紐２が通る肩当て部通路１１ｂを残して縫製されて形成され、使用者の肩に当接する肩当て部１１と、この肩当て部１１に対向する位置にあって、カバー本体１の開口縁部１ａを折り返して、調整紐２が通る肩当て対向部通路１２ｂを残して縫製されて形成された肩当て対向部１２と、調整紐２は、肩当て部通路１１ｂと肩当て対向部通路１１ｂを通って、肩当て部１１と肩当て対向部１２との間の距離を調整するものである。【選択図】図２
0003114851.tif 000002
【実用新案登録請求の範囲】
【請求項１】
通気性を有し、袋状に形成して、横抱っこ紐で抱っこされた幼児を全体に亘って覆うカバー本体と、
このカバー本体の開口縁部に対して直交するように複数の折り目が設けられ、該複数の折り目は階段状に形成されると共に、前記カバー本体の開口縁部は折り返されて、調整紐が通る肩当て部通路を残して縫製されて形成され、使用者の肩に当接する肩当て部と、
この肩当て部に対向する位置にあって、前記カバー本体の開口縁部を折り返して、前記調整紐が通る肩当て対向部通路を残して縫製されて形成された肩当て対向部と、
前記調整紐は、前記肩当て部通路と前記肩当て対向部通路を通って、前記肩当て部と前記肩当て対向部との間の距離を調整するものであり、
前記肩当て部の一方側と前記肩当て対向部の一方側との第１の間隔を狭めるように設けられた第１のゴム紐と、
前記肩当て部の他方側と前記肩当て対向部の他方側との第２の間隔を狭めるように設けられた第２のゴム紐と、
を備えてなることを特徴とする横抱っこ用カバー。
【請求項２】
通気性を有し、袋状に形成して、横抱っこ紐で抱っこされた幼児を全体に亘って覆うカバー本体と、
このカバー本体の開口縁部に対して直交するように複数の折り目が設けられ、該複数の折り目は重ねられて積層されると共に、前記カバー本体の開口縁部は折り返されて、調整紐が通る肩当て部通路を残して縫製されて形成され、使用者の肩に当接する肩当て部と、
この肩当て部に対向する位置にあって、前記カバー本体の開口縁部を折り返して、前記調整紐が通る肩当て対向部通路を残して縫製されて形成された肩当て対向部と、
前記調整紐は、前記肩当て部通路と前記肩当て対向部通路を通って、前記肩当て部と前記肩当て対向部との間の距離を調整するものであり、
前記肩当て部の一方側と前記肩当て対向部の一方側との第１の間隔を狭めるように設けられた第１のゴム紐と、
前記肩当て部の他方側と前記肩当て対向部の他方側との第２の間隔を狭めるように設けられた第２のゴム紐と、
を備えてなることを特徴とする横抱っこ用カバー。
【請求項３】
通気性を有し、袋状に形成して、横抱っこ紐で抱っこされた幼児を全体に亘って覆うカバー本体と、
このカバー本体の開口縁部を折り返して、調整紐が通る肩当て部通路を残して縫製されて形成され、使用者の肩に当接する肩当て部と、
この肩当て部に対向する位置にあって、前記カバー本体の開口縁部を折り返して、前記調整紐が通る肩当て対向部通路を残して縫製されて形成された肩当て対向部と、
前記調整紐は、前記肩当て部通路と前記肩当て対向部通路を通って、前記肩当て部と前記肩当て対向部との間の距離を調整するものであり、
前記肩当て部の一方側と前記肩当て対向部の一方側との第１の間隔を狭めるように設けられた第１のゴム紐と、
前記肩当て部の他方側と前記肩当て対向部の他方側との第２の間隔を狭めるように設けられた第２のゴム紐と、
を備えてなることを特徴とする横抱っこ用カバー。
【請求項４】
カバー本体を不透明な素材で形成されていることを特徴とする請求項１、２又は３記載の横抱っこ用カバー。
【請求項５】
横抱っこ紐で抱っこされた幼児を覆うカバー本体の幼児の頭部に位置する部分を、少なくとも、前記幼児の頭部が外部より見える程度の大きさのメッシュ生地で形成されると共に、前記部分を覆って前記幼児の頭部が外部より見えないようにカバーする目隠し部材を備えていることを特徴とする請求項１、２又は３記載の横抱っこ用カバー。
【請求項６】
肩当て部の一方側と肩当て対向部の一方側との間であって、カバー本体の開口縁部を折り返して、第１のゴム紐が通る第１のゴム紐通路を残して縫製されて形成された第１のゴム紐収納部と、
前記肩当て対向部の一方側より前記肩当て部の一方側に近い側のカバー本体の部位に取り付けられた第１の釦と、
第１のゴム紐は前記第１のゴム紐通路を通ると共に、前記第１のゴム紐の一端は前記肩当て部の一方側より前記肩当て対向部の一方側に近い側のカバー本体の部位に取り付けられ、前記第１のゴム紐の他端は前記第１のゴム紐の一部を残して前記第１の釦に巻き付けて結束して取り付けられ、
前記肩当て部の他方側と前記肩当て対向部の他方側との間であって、前記カバー本体の開口縁部を折り返して、第２のゴム紐が通る第２のゴム紐通路を残して縫製されて形成された第２のゴム紐収納部と、
前記肩当て対向部の他方側より前記肩当て部の他方側に近い側のカバー本体の部位に取り付けられた第２の釦と、
第２のゴム紐は前記第２のゴム紐通路を通ると共に、前記第２のゴム紐の一端は前記肩当て部の他方側より前記肩当て対向部の他方側に近い側のカバー本体の部位に取り付けられ、前記第２のゴム紐の他端は前記第２のゴム紐の一部を残して前記第２の釦に巻き付けて結束して取り付けられ、
ていることを特徴とする請求項１、２又は３記載の横抱っこ用カバー。
【考案の詳細な説明】
【技術分野】
【０００１】
本考案は、横抱っこ用カバーに係り、特に、横抱っこ紐で抱っこされた幼児を全体に亘って覆うことができる横抱っこ用カバーに関する。
【背景技術】
【０００２】
新生児、授乳時に適した抱き方として「横抱っこ」と称される抱き方がある  。これは、横抱っこ紐を使用し、幼児を抱く人の前側に位置させると共に、幼児の頭を足よりやや高くするように横に寝せた状態で抱っこするものである。
しかしながら、上述した横抱っこ紐で抱っこされた幼児をつれて、例えば、幼稚園等にいくと、抱く位置が低いこともあって、抱かれた幼児の顔、手等に園児等が直接触れ、病気の原因となったり、また、幼児が直接、夏の暑さ、冬の冷たさ、雨、風、雪、空調機の冷気、暖気、紫外線、蚊、毛虫等に曝されるという問題点があった。
【考案の開示】
【考案が解決しようとする課題】
【０００３】
本考案は、前記した問題点を除去するようにした横抱っこ用カバーを提供することを目的としている。
【課題を解決するための手段】
【０００４】
前記した目的を達成するための請求項１記載の横抱っこ用カバーは、通気性を有し、袋状に形成して、横抱っこ紐で抱っこされた幼児を全体に亘って覆うカバー本体と、このカバー本体の開口縁部に対して直交するように複数の折り目が設けられ、該複数の折り目は階段状に形成されると共に、前記カバー本体の開口縁部は折り返されて、調整紐が通る肩当て部通路を残して縫製されて形成され、使用者の肩に当接する肩当て部と、この肩当て部に対向する位置にあって、前記カバー本体の開口縁部を折り返して、前記調整紐が通る肩当て対向部通路を残して縫製されて形成された肩当て対向部と、前記調整紐は、前記肩当て部通路と前記肩当て対向部通路を通って、前記肩当て部と前記肩当て対向部との間の距離を調整するものであり、前記肩当て部の一方側と前記肩当て対向部の一方側との第１の間隔を狭めるように設けられた第１のゴム紐と、前記肩当て部の他方側と前記肩当て対向部の他方側との第２の間隔を狭めるように設けられた第２のゴム紐とを備えてなるものである。
【０００５】
また、請求項２記載の横抱っこ用カバーは、通気性を有し、袋状に形成して、横抱っこ紐で抱っこされた幼児を全体に亘って覆うカバー本体と、このカバー本体の開口縁部に対して直交するように複数の折り目が設けられ、該複数の折り目は重ねられて積層されると共に、前記カバー本体の開口縁部は折り返されて、調整紐が通る肩当て部通路を残して縫製されて形成され、使用者の肩に当接する肩当て部と、この肩当て部に対向する位置にあって、前記カバー本体の開口縁部を折り返して、前記調整紐が通る肩当て対向部通路を残して縫製されて形成された肩当て対向部と、前記調整紐は、前記肩当て部通路と前記肩当て対向部通路を通って、前記肩当て部と前記肩当て対向部との間の距離を調整するものであり、前記肩当て部の一方側と前記肩当て対向部の一方側との第１の間隔を狭めるように設けられた第１のゴム紐と、前記肩当て部の他方側と前記肩当て対向部の他方側との第２の間隔を狭めるように設けられた第２のゴム紐とを備えてなるものである。
【０００６】
また、請求項３記載の横抱っこ用カバーは、通気性を有し、袋状に形成して、横抱っこ紐で抱っこされた幼児を全体に亘って覆うカバー本体と、このカバー本体の開口縁部を折り返して、調整紐が通る肩当て部通路を残して縫製されて形成され、使用者の肩に当接する肩当て部と、この肩当て部に対向する位置にあって、前記カバー本体の開口縁部を折り返して、前記調整紐が通る肩当て対向部通路を残して縫製されて形成された肩当て対向部と、前記調整紐は、前記肩当て部通路と前記肩当て対向部通路を通って、前記肩当て部と前記肩当て対向部との間の距離を調整するものであり、前記肩当て部の一方側と前記肩当て対向部の一方側との第１の間隔を狭めるように設けられた第１のゴム紐と、前記肩当て部の他方側と前記肩当て対向部の他方側との第２の間隔を狭めるように設けられた第２のゴム紐とを備えてなるものである。
【０００７】
また、請求項４記載の横抱っこ用カバーは、請求項１、２又は３記載の横抱っこ用カバーにおいて、カバー本体を不透明な素材で形成されているものである。
【０００８】
また、請求項５記載の横抱っこ用カバーは、請求項１、２又は３記載の横抱っこ用カバーにおいて、横抱っこ紐で抱っこされた幼児を覆うカバー本体の幼児の頭部に位置する部分を、少なくとも、前記幼児の頭部が外部より見える程度の大きさのメッシュ生地で形成されると共に、前記部分を覆って前記幼児の頭部が外部より見えないようにカバーする目隠し部材を備えているものである。
【０００９】
また、請求項６記載の横抱っこ用カバーは、請求項１、２又は３記載の横抱っこ用カバーにおいて、肩当て部の一方側と肩当て対向部の一方側との間であって、カバー本体の開口縁部を折り返して、第１のゴム紐が通る第１のゴム紐通路を残して縫製されて形成された第１のゴム紐収納部と、前記肩当て対向部の一方側より前記肩当て部の一方側に近い側のカバー本体の部位に取り付けられた第１の釦と、第１のゴム紐は前記第１のゴム紐通路を通ると共に、前記第１のゴム紐の一端は前記肩当て部の一方側より前記肩当て対向部の一方側に近い側のカバー本体の部位に取り付けられ、前記第１のゴム紐の他端は前記第１のゴム紐の一部を残して前記第１の釦に巻き付けて結束して取り付けられ、前記肩当て部の他方側と前記肩当て対向部の他方側との間であって、前記カバー本体の開口縁部を折り返して、第２のゴム紐が通る第２のゴム紐通路を残して縫製されて形成された第２のゴム紐収納部と、前記肩当て対向部の他方側より前記肩当て部の他方側に近い側のカバー本体の部位に取り付けられた第２の釦と、第２のゴム紐は前記第２のゴム紐通路を通ると共に、前記第２のゴム紐の一端は前記肩当て部の他方側より前記肩当て対向部の他方側に近い側のカバー本体の部位に取り付けられ、前記第２のゴム紐の他端は前記第２のゴム紐の一部を残して前記第２の釦に巻き付けて結束して取り付けられているものである。
【考案の効果】
【００１０】
請求項１記載の横抱っこ用カバーによれば、横抱っこ紐で抱っこされた幼児を袋状のカバーで覆うことができるため、園児等の他人が幼児の顔、手等に直接触れることを防ぐことができ、また、幼児が直接、夏の暑さ、冬の冷たさ、雨、風、雪、空調機の冷気、暖気、紫外線、蚊、毛虫等に曝されるのを防ぎ、更に、調整紐により肩当て部と肩当て対向部との間の距離を調整して、使用者（幼児を抱く人）、幼児の体型に合わせることができ、また、第１のゴム紐及び第２のゴム紐により、袋状のカバーを幼児にフィットさせることができ、また、肩当て部は、カバー本体の開口縁部に対して直交するように複数の折り目を設けられ、該複数の折り目は複数の折り目は階段状に形成されると共に、折り返されているため、肩当て部の強度を向上させることができ、特に、該複数の折り目は階段状に形成されているため、カバー本体の生地が厚くても、ずらすことにより厚みを減らして縫製することができる。
【００１１】
請求項２記載の横抱っこ用カバーによれば、横抱っこ紐で抱っこされた幼児を袋状のカバーで覆うことができるため、園児等の他人が幼児の顔、手等に直接触れることを防ぐことができ、また、幼児が直接、夏の暑さ、冬の冷たさ、雨、風、雪、空調機の冷気、暖気、紫外線、蚊、毛虫等に曝されるのを防ぎ、更に、調整紐により肩当て部と肩当て対向部との間の距離を調整して、使用者（幼児を抱く人）、幼児の体型に合わせることができ、また、第１のゴム紐及び第２のゴム紐により、袋状のカバーを幼児にフィットさせることができ、また、肩当て部は、カバー本体の開口縁部に対して直交するように複数の折り目を設けられ、該複数の折り目は複数の折り目は重ねられて積層されると共に、折り返されているため、肩当て部の強度を向上させることができ、特に、該複数の折り目は重ねられて積層されるため、カバー本体の生地が薄い場合、該生地をずらすことなく縫製することができる。
【００１２】
また、請求項３記載の横抱っこ用カバーによれば、横抱っこ紐で抱っこされた幼児を袋状のカバーで覆うことができるため、園児等の他人が幼児の顔、手等に直接触れることを防ぐことができ、また、幼児が直接、夏の暑さ、冬の冷たさ、雨、風、雪、空調機の冷気、暖気、紫外線、蚊、毛虫等に曝されるのを防ぎ、更に、調整紐により肩当て部と肩当て対向部との間の距離を調整して、使用者（幼児を抱く人）、幼児の体型に合わせることができ、また、第１のゴム紐及び第２のゴム紐により、袋状のカバーを幼児にフィットさせることができる。    
【００１３】
また、請求項４記載の横抱っこ用カバーによれば、上述した請求項１又は２記載の考案の効果に加え、不透明な素材で形成されたカバー本体が目隠しとなり、人目を気にせずに、幼児に母乳を与えることができる。
【００１４】
また、請求項５記載の横抱っこ用カバーによれば、上述した請求項１又は２記載の考案の効果に加え、横抱っこ紐で抱っこされた幼児を覆うカバー本体の幼児の頭部に位置する部分を、少なくとも、前記部分を前記幼児の頭部が外部より見える程度の大きさのメッシュ生地で形成して、通気性を良好にして、暑さに対応することができ、また、幼児に母乳を与えるときには、横抱っこ紐で抱っこされた幼児を覆うカバー本体の幼児の頭部に位置する部分を目隠し部材で覆って対応することができる。
【００１５】
また、請求項６記載の横抱っこ用カバーによれば、上述した請求項１又は２記載の考案の効果に加え、第１のゴム紐により肩当て部の一方側と肩当て対向部の一方側との第１の間隔を、第２のゴム紐により肩当て部の他方側と肩当て対向部の他方側との第２の間隔を、第１の釦、第２の釦の巻き付け位置を調整して、使用者（幼児を抱く人）、幼児の体型に合わせることができる。
【考案を実施するための最良の形態】
【００１６】
本考案の一実施例の横抱っこ用カバーを図面を参照して説明する。
図１乃至図６において、Ａは横抱っこ用カバーで、横抱っこ用カバーＡは、一方の肩から腰にかけて斜め、所謂、襷がけに使用して、横抱っこ紐１００で抱っこされた幼児を全体に亘って覆うことができるものである。
図１は、図２の横抱っこ用カバーＡが装着される前の状態を、図５は、図４の横抱っこ用カバーＡが装着された状態を正面から、図６は、図４の横抱っこ用カバーＡが装着された状態を背面から、それぞれ見たものである。
【００１７】
１は、通気性を有し、袋状に形成して、横抱っこ紐１００で抱っこされた幼児を全体に亘って覆うカバー本体である（図２参照）。
カバー本体１は、概略的に略長方形で、周縁部を折り返し、該折り返した部位に、後述する肩当て部通路、対向部通路、第１のゴム紐通路、第２のゴム紐通路を形成し、カバー本体１の素材は、例えば、通気性の良好な綿で形成するのが良い。
【００１８】
図２に示す１１は、使用者（幼児を抱く人）の肩に当接する肩当て部で、肩当て部１１は、たとえば、カバー本体１の開口縁部１ａに対して直交するように複数の折り目１１ａ、１１ａ、１１ａ、１１ａ、１１ａが設けられ、該複数の折り目１１ａ、１１ａ、１１ａ、１１ａ、１１ａは寄せられて階段状に形成されると共に、開口縁部１ａを折り返されて、調整紐２が通る肩当て部通路１１ｂを残して縫製されて形成されている。そのため、肩当て部１１は、強度的に強いものとなっている。なお、特に、カバー本体１の生地が厚い場合、複数の折り目１１ａ、１１ａ、１１ａ、１１ａ、１１ａは寄せられて階段状に形成したが、本考案はこれに限らず、カバー本体１の生地が薄い場合、図示しないが、複数の折り目１１ａ、１１ａ、１１ａ、１１ａ、１１ａは重ねられて積層されると共に、縫製して肩当て部１１を形成しても良いし、また、場合により、図示しないが、複数の折り目１１ａを作らず、開口縁部１ａを折り返すようにしても良い。
【００１９】
１２は肩当て対向部で、肩当て対向部１２は、図２乃至図４に示すように、肩当て部１１に対向する位置にあって、カバー本体１の開口縁部１ａを折り返して、調整紐２が通る肩当て対向部通路１２ｂを残して縫製されて形成されている。肩当て対向部１２は、折り目等がないことより、肩当て対向部１２の縁部長さは肩当て部１１の縁部長さより長くなっている。
調整紐２は、肩当て部通路１１ａと肩当て対向部通路１２ｂを通って、肩当て部１１と肩当て対向部１２との間の距離を調整して、使用者（幼児を抱く人）  、幼児の体型に合わせることができるもので、その調整は、例えば、調整紐２の一部を図２に示すように、例えば、結束（蝶々結び）して調整することができる。
【００２０】
３は第１のゴム紐で、第１のゴム紐３は、肩当て部１１の一方側と肩当て対向部１２の一方側との第１の間隔Ｂを狭めるように設けられたものであり、例えば、次のようにして、取り付けられている。
即ち、１３は第１のゴム紐収納部で、第１のゴム紐収納部１３は、肩当て部１１の一方側と肩当て対向部１２の一方側との間であって、カバー本体１の開口縁部１ａを折り返して、第１のゴム紐３が通る第１のゴム紐通路１３ｂを残して縫製されて形成されている。４は第１の釦で、第１の釦４は、肩当て対向部１２の一方側より肩当て部１１の一方側に近い側のカバー本体１の部位に取り付けられている。
そして、第１のゴム紐３は第１のゴム紐通路１３ｂを通ると共に、第１のゴム紐１３ｂの一端は肩当て部１１の一方側より肩当て対向部１２の一方側に近い側のカバー本体１の部位（例えば、図２及び図３に示すＸ）に取り付けられ（例えば、縫い付けられ）、第１のゴム紐３の他端は第１のゴム紐３の一部を残して第１の釦４に巻き付けて結束して取り付けられている。
【００２１】
５は第２のゴム紐で、第２のゴム紐５は、肩当て部１１の他方側と肩当て対向部１２の他方側との第２の間隔Ｃを狭めるように設けられたものであり、例えば、次のようにして、取り付けられている。
即ち、１４は第２のゴム紐収納部で、第２のゴム紐収納部１４は、肩当て部１１の他方側と肩当て対向部１２の他方側との間であって、カバー本体１の開口縁部１ａを折り返して、第２のゴム紐５が通る第２のゴム紐通路１４ｂを残して縫製されて形成されている。６は第２の釦で、第２の釦６は、肩当て対向部１２の他方側より肩当て部１１の他方側に近い側のカバー本体１の部位に取り付けられている。
そして、第２のゴム紐５は第２のゴム紐通路１４ｂを通ると共に、第２のゴム紐５の一端は肩当て部１１の一方側より肩当て対向部１２の一方側に近い側のカバー本体１の部位（例えば、図２及び図３に示すＹ）に取り付けられ（例えば  、縫い付けられ）、第２のゴム紐５の他端は第２のゴム紐５の一部を残して第２の釦６に巻き付けて結束して取り付けられている。
【００２２】
従って、横抱っこ用カバーＡを図１に示す矢印方向に、一方の肩から腰にかけて斜め、所謂、襷がけに使用すれば、図５及び図６に示すように、横抱っこ紐１００で抱っこされた幼児を全体に亘って横抱っこ用カバーＡで覆うことができる。
その結果、園児等の他人が幼児の顔、手等に直接触れることを防ぐことができ、また、幼児が直接、夏の暑さ、冬の冷たさ、雨、風、雪、空調機の冷気、暖気、紫外線、蚊、毛虫等に曝されるのを防ぎ、更に、調整紐２により肩当て部１１と肩当て対向部１２との間の距離を調整して、使用者（幼児を抱く人）、幼児の体型に合わせることができ、また、第１のゴム紐３及び第２のゴム紐５により、袋状のカバーを幼児にフィットさせることができ、また、肩当て部１１は、カバー本体１の開口縁部１ａに対して直交するように複数の折り目１１ａが設けられ、該複数の折り目１１ａは階段状に形成されると共に、折り返されているため、肩当て部１１の強度を向上させることができる。また、第１のゴム紐３により肩当て部１１の一方側と肩当て対向部１２の一方側との第１の間隔Ｂを、第２のゴム紐５により肩当て部１１の他方側と肩当て対向部１２の他方側との第２の間隔Ｃを、第１の釦４、第２の釦６への巻き付け位置を調整して、使用者（幼児を抱く人）、幼児の体型に合わせることができる。
なお、カバー本体１を不透明な素材で形成すれば、カバー本体１が目隠しとなり、人目を気にせずに、幼児に母乳を与えることができる。
【００２３】
なお、上述した実施例では、カバー本体１を不透明な素材で形成したが、図７乃至図１０に示すように、横抱っこ紐（図示せず）で抱っこされた幼児を覆うカバー本体１の幼児の頭部に位置する部分を、少なくとも、前記幼児の頭部が外部より見える程度の大きさのメッシュ生地Ｍで形成されると共に、前記部分を覆って前記幼児の頭部が外部より見えないようにカバーする目隠し部材１０を備えるようにしても良い。
即ち、目隠し部材１０は、例えば、図７及び図８に示すように、第１の釦４  、第２の釦６に取り付けられるようにしても良いし、また、図９及び図１０に示すように、目隠し部材１０の側に取り付けられた面状ファスナーＦ1とカバー本体１の側に取り付けられた面状ファスナーＦ2 とで目隠し部材１０を着脱自在になるようにしても良い。
特に、暑い場合には、目隠し部材１０を使用しないようにして、通気性を良好にし、また、幼児に母乳を与えるときには、目隠し部材１０を使用して、横抱っこ紐（図示せず）で抱っこされた幼児を覆うカバー本体１の幼児の頭部に位置する部分を覆って対応することができる。
【図面の簡単な説明】
【００２４】
【図１】図１は、本考案の一実施例である横抱っこ用カバーが装着される前の状態の概略的斜視図である。
【図２】図２は、図１の横抱っこ用カバーの概略的斜視図である。
【図３】図３は、図２の横抱っこ用カバーを簡略化して示す概略的斜視図である。
【図４】図４は、図２の１−１線による概略的断面図である。
【図５】図５は、図１の横抱っこ用カバーが装着された状態を正面から見た概略的正面図である。
【図６】図６は、図１の横抱っこ用カバーが装着された状態を背面から見た概略的背面図である。
【図７】図７は、本考案の他の実施例である横抱っこ用カバーの概略的斜視図である  。
【図８】図８は、図７の横抱っこ用カバーを装着した状態の概略的斜視図である。
【図９】図９は、図７は、本考案の他の実施例である横抱っこ用カバーを装着した状態の概略的斜視図である。
【図１０】図１０は、図９の横抱っこ用カバーに目隠し部材を装着した状態の概略的斜視図である。
【符号の説明】
【００２５】
Ａ    …………横抱っこ用カバー
Ｂ    …………第１の間隔
Ｃ    …………第２の間隔
１    …………カバー本体
１ａ  …………開口縁部
２    …………調整紐
３    …………第１のゴム紐
５    …………第２のゴム紐
１１  …………肩当て部
１２  …………肩当て対向部
【図１】
0003114851.tif 000003
【図２】
0003114851.tif 000004
【図３】
0003114851.tif 000005
【図４】
0003114851.tif 000006
【図５】
0003114851.tif 000007
【図６】
0003114851.tif 000008
【図７】
0003114851.tif 000009
【図８】
0003114851.tif 000010
【図９】
0003114851.tif 000011
【図１０】
0003114851.tif 000012